(57)【要約】家具の各部分（６〜１４）を互いに相対的に調節するための電動モータ式の家具駆動装置（１８）が、当該家具駆動装置（１８）の組付け位置において家具の調節したい部分と作用結合している、旋回軸線（３４）を中心にして旋回可能な旋回エレメントを旋回させるための、線状の運動軸線（３０）に沿って線状に運動可能な駆動手段を有している形式のものにおいて、本発明の構成では、前記駆動手段を調節運動の間、線状の運動軸線（３０）に沿って実質的に位置固定の点（Ｐ）において前記旋回エレメントと係合した状態に保持するための手段が設けられている。本発明による家具駆動装置は簡単でかつ廉価に製造可能であって、構造の点で頑丈である。
2005532132.tif 000002
【特許請求の範囲】
【請求項１】
家具の各部分を互いに相対的に調節するための電動モータ式の家具駆動装置であって、
当該家具駆動装置の組付け位置において家具の調節したい部分と作用結合している、旋回軸線を中心にして旋回可能な旋回エレメントを旋回させるための、線状の運動軸線に沿って線状に運動可能な駆動手段が設けられている形式のものにおいて、
前記駆動手段を調節運動の間、線状の運動軸線（３０）に沿って実質的に位置固定の点（Ｐ）において前記旋回エレメントと係合した状態に保持するための手段が設けられていることを特徴とする、電動モータ式の家具駆動装置。
【請求項２】
前記駆動手段を調節運動の間、線状の運動軸線（３０）に沿って実質的に位置固定の点（Ｐ）において前記旋回エレメントと係合した状態に保持するための手段が、前記駆動手段のための、一種のカムディスクの形に形成されたガイドエレメントを有しており、該ガイドエレメントに前記駆動手段が当該家具駆動装置（１８）の組付け位置で係合している、請求項１記載の家具駆動装置。
【請求項３】
前記ガイドエレメントが、ほぼ円弧状に制限された輪郭を有している、請求項２記載の家具駆動装置。
【請求項４】
前記ガイドエレメントが、ほぼ円セグメント、特に１／４円セグメントとして形成されている、請求項３記載の家具駆動装置。
【請求項５】
前記ガイドエレメントがほぼカム形の輪郭を有しており、該輪郭を制限する制限面と前記旋回軸線（３４）との間隔が、前記ガイドエレメントの周方向で少なくとも所定の区分にわたって変化している、請求項２記載の家具駆動装置。
【請求項６】
前記駆動手段が引張手段として形成されている、請求項１記載の家具駆動装置。
【請求項７】
前記駆動手段が押圧手段として形成されている、請求項１記載の家具駆動装置。
【請求項８】
前記駆動手段がフレキシブルに形成されている、請求項６記載の家具駆動装置。
【請求項９】
前記駆動手段がほぼ剛性的に形成されている、請求項７記載の家具駆動装置。
【請求項１０】
前記駆動手段の、当該家具駆動装置の組付け位置で前記ガイドエレメントと係合している面が、歯列を有しており、該歯列が、前記ガイドエレメントに設けられた、前記歯列に対してほぼ相補的な歯列と協働するようになっている、請求項１記載の家具駆動装置。
【請求項１１】
前記ガイドエレメントが歯車または歯車セグメント（４０）として形成されている、請求項１０記載の家具駆動装置。
【請求項１２】
前記駆動手段がチェーン（４２）を有していて、チェーン伝動装置が形成されている、請求項１１記載の家具駆動装置。
【請求項１３】
前記駆動手段がラック（５６）を有していて、ラック伝動装置が形成されている、請求項１１記載の家具駆動装置。
【請求項１４】
前記駆動手段がロープ（４６）またはベルトを有しており、該ロープ（４６）またはベルトが、一種のロープドラムまたはロープ車（４８）として形成されたガイドエレメントと協働するようになっていて、ロープ伝動装置が形成されている、請求項１記載の家具駆動装置。
【請求項１５】
前記ガイドエレメントが前記旋回エレメントと一体に形成されているか、または前記旋回エレメントにより形成されている、請求項２記載の家具駆動装置。
【請求項１６】
線状に運動可能な前記駆動手段が、スピンドル伝動装置の線状に運動可能な駆動エレメントに結合されているか、またはスピンドル伝動装置の線状に運動可能な駆動エレメントにより形成されている、請求項１記載の家具駆動装置。
【請求項１７】
スピンドル伝動装置の線状に運動可能な駆動エレメントが、回動不能でかつ軸方向に可動に、回転駆動可能なスピンドル（２４）に装着配置されたスピンドルナット（２６）である、請求項１６記載の家具駆動装置。
【請求項１８】
スピンドル伝動装置の線状に運動可能な駆動エレメントが、軸方向に可動でかつ回動不能に支承されたスピンドルであり、該スピンドルに、位置固定の回転駆動可能なスピンドルナットが装着配置されている、請求項１６記載の家具駆動装置。
【請求項１９】
前記駆動手段が前記旋回エレメントまたは前記ガイドエレメントに固定されている、請求項８記載の家具駆動装置。
【請求項２０】
座家具および／または寝家具のクッション、特にベッドのマットレスのための電動モータ式に調節可能な支持装置であって、互いに相対的に調節可能な少なくとも２つの支持部分と、該支持部分を互いに相対的に調節するための電動モータ式の家具駆動装置とが設けられており、該家具駆動装置が、該家具駆動装置の組付け位置で家具の調節したい支持部分のうちの少なくとも１つの支持部分と作用結合した、旋回軸線を中心にして旋回可能な旋回エレメントを旋回させるための、線状の運動軸線に沿って線状に運動可能な駆動手段を有している形式のものにおいて、
前記駆動手段を調節運動の間、線状の運動軸線（３０）に沿って実質的に位置固定の点（Ｐ）において前記旋回エレメントと係合した状態に保持するための手段が設けられていることを特徴とする、電動モータ式に調節可能な支持装置。
【請求項２１】
前記駆動手段を調節運動の間、線状の運動軸線（３０）に沿って実質的に位置固定の点（Ｐ）において前記旋回エレメントと係合した状態に保持するための手段が、前記駆動手段のための、一種のカムディスクの形に形成されたガイドエレメントを有しており、該ガイドエレメントに前記駆動手段が家具駆動装置の組付け位置で係合している、請求項２０記載の支持装置。
【請求項２２】
前記ガイドエレメントが、ほぼ円弧状に制限された輪郭を有している、請求項２１記載の支持装置。
【請求項２３】
前記ガイドエレメントが、ほぼ円セグメント、特に１／４円セグメントとして形成されている、請求項２２記載の支持装置。
【請求項２４】
前記ガイドエレメントがほぼカム形の輪郭を有しており、該輪郭を制限する制限面と前記旋回軸線との間隔が、前記ガイドエレメントの周方向で少なくとも所定の区分にわたって変化している、請求項２１記載の支持装置。
【請求項２５】
前記駆動手段が引張手段として形成されている、請求項２０記載の支持装置。
【請求項２６】
前記駆動手段が押圧手段として形成されている、請求項２０記載の支持装置。
【請求項２７】
前記駆動手段がフレキシブルに形成されている、請求項２５記載の支持装置。
【請求項２８】
前記駆動手段がほぼ剛性的に形成されている、請求項２６記載の支持装置。
【請求項２９】
前記駆動手段の、当該家具駆動装置の組付け位置で前記ガイドエレメントと係合している面が、歯列を有しており、該歯列が、前記ガイドエレメントに設けられた、前記歯列に対してほぼ相補的な歯列と協働するようになっている、請求項２０記載の支持装置。
【請求項３０】
前記ガイドエレメントが歯車または歯車セグメント（４０）として形成されている、請求項２９記載の支持装置。
【請求項３１】
前記駆動手段がチェーン（４２）を有していて、チェーン伝動装置が形成されている、請求項３０記載の支持装置。
【請求項３２】
前記駆動手段がラック（５６）を有していて、ラック伝動装置が形成されている、請求項３０記載の支持装置。
【請求項３３】
前記駆動手段がロープ（４６）またはベルトを有しており、該ロープ（４６）またはベルトが、一種のロープドラムまたはロープ車（４８）として形成されたガイドエレメントと協働するようになっていて、ロープ伝動装置が形成されている、請求項２０記載の支持装置。
【請求項３４】
前記ガイドエレメントが前記旋回エレメントと一体に形成されているか、または前記旋回エレメントにより形成されている、請求項２１記載の支持装置。
【請求項３５】
線状に運動可能な前記駆動手段が、スピンドル伝動装置の線状に運動可能な駆動エレメントに結合されているか、またはスピンドル伝動装置の線状に運動可能な駆動エレメントにより形成されている、請求項２０記載の支持装置。
【請求項３６】
スピンドル伝動装置の線状に運動可能な駆動エレメントが、回動不能でかつ軸方向に可動に、回転駆動可能なスピンドル（２４）に装着配置されたスピンドルナット（２６）である、請求項３５記載の支持装置。
【請求項３７】
スピンドル伝動装置の線状に運動可能な駆動エレメントが、軸方向に可動でかつ回動不能に支承されたスピンドルであり、該スピンドルに、位置固定の回転駆動可能なスピンドルナットが装着配置されている、請求項３５記載の支持装置。
【請求項３８】
前記駆動手段が前記旋回エレメントまたは前記ガイドエレメントに固定されている、請求項２７記載の支持装置。
【請求項３９】
家具の調節可能な部分に用いられる調節機構であって、旋回軸線を中心にして旋回可能な旋回エレメントが設けられており、該旋回エレメントが、当該調節機構の組付け位置において家具の調節したい部分と作用結合していて、線状の運動軸線に沿って線状に運動可能な駆動手段によって旋回可能である形式のものにおいて、
前記駆動手段が調節運動の間、線状の運動軸線（３０）に沿って実質的に位置固定の点（Ｐ）において前記旋回エレメントと係合した状態に保持されるように前記旋回エレメントが形成されていることを特徴とする、家具の調節可能な部分に用いられる調節機構。
【請求項４０】
前記旋回エレメントが、前記駆動手段のための一種のカムディスクの形に形成されたガイドエレメントを有している、請求項３９記載の調節機構。
【請求項４１】
前記ガイドエレメントが歯車または歯車セグメントとして形成されている、請求項４０記載の調節機構。
【請求項４２】
前記ガイドエレメントが一種のロープドラムまたはロープ車（４８）の形に形成されている、請求項４０記載の調節機構。
【請求項４３】
前記ガイドエレメントが前記旋回エレメントと一体に形成されているか、または前記旋回エレメントにより形成されている、請求項３９記載の調節機構。
【請求項４４】
前記ガイドエレメントが、ほぼ円弧状に制限された輪郭を有している、請求項３９記載の調節機構。
【請求項４５】
前記ガイドエレメントが、ほぼ円セグメント、特に１／４円セグメントとして形成されている、請求項３９記載の調節機構。
【請求項４６】
前記ガイドエレメントがほぼカム形の輪郭を有しており、該輪郭を制限する制限面と前記旋回軸線（３４）との間隔が、前記ガイドエレメントの周方向で少なくとも所定の区分にわたって変化している、請求項３９記載の調節機構。
【発明の詳細な説明】
【技術分野】
【０００１】
本発明は、請求項１の上位概念部に記載の形式の、家具の各部分を互いに相対的に調節するための電動モータ式の家具駆動装置に関する。
【０００２】
このような形式の家具駆動装置は一般に知られていて、たとえばすのこ状のスラット構造を有するスラットベース（Lattenrost）の各部分を互いに相対的に調節するためのリクライニング用調節駆動装置として働く。
【０００３】
欧州特許第０３７２０３２号明細書に基づき、当該形式の家具駆動装置が公知である。この家具駆動装置は線状の運動軸線に沿って線状に運動可能な駆動手段を有しており、この駆動手段は、家具駆動装置の組付け位置において家具の調節したい部分と作用結合している、所定の旋回軸線を中心にして旋回可能な旋回エレメントを旋回させるために働く。公知の家具駆動装置では、線状に運動可能な駆動手段が、スピンドル伝動装置のスピンドルナットにより形成されており、旋回エレメントは旋回レバーにより形成されている。この旋回レバーは旋回軸に相対回動不能に結合されており、この旋回軸が家具の調節したい部分と作用結合されている。この場合、スピンドルナットは旋回レバーの、旋回軸とは反対の側の端部をルーズに負荷している。
【０００４】
同様の家具駆動装置は、ドイツ連邦共和国特許第３８４２０７８号明細書、欧州特許第０５８３６６０号明細書、ドイツ連邦共和国特許第１００４６７５０号明細書およびドイツ連邦共和国特許第１００４６７５２号明細書によっても公知である。
【０００５】
これら公知の家具駆動装置の場合、調節運動中に駆動手段の線状の運動軸線に対して相対的な旋回レバーの角度位置が変化する。このことから次のような不都合が生ぜしめられる。すなわち、てこ腕の、旋回軸に作用する有効長さ、つまりてこ腕の、駆動手段の線状の運動軸線に対して直角に位置するコンポーネントの長さが調節運動中に常時変化するので、旋回軸に作用する力、ひいては家具の調節したい部分に作用する力が調節運動中に常時変化し、しかもこの力がてこ腕の有効長さの減少と共に減少してしまう。この場合、家具駆動装置によって家具の調節したい部分に加えられ得る調節力は、駆動手段の線状の運動軸線と旋回レバーの長手方向軸線との間の角度が鋭角になればなるほど、ますます減少してゆく。この場合に特に不都合となるのは、家具駆動装置が調節運動の終端位置に近づくにつれて、この角度がますます鋭角となるが、しかし調節運動の終端位置では、一般に家具の、家具駆動装置に作用する反動力が最大となり、ひいては所要の調節力が最大となる。
【０００６】
ドイツ連邦共和国特許出願公開第１００１７９７８号明細書およびドイツ連邦共和国特許出願公開第１００１７９７９号明細書に基づき、それぞれ前記家具駆動装置に類似した家具駆動装置が公知である。この公知の家具駆動装置の場合には、駆動手段が、たとえば引張ベルトの形のフレキシブルな引張手段により形成されている。
【０００７】
本発明の根底を成す課題は、請求項１の上位概念部に記載の形式の家具駆動装置を改良して、公知の家具駆動装置の不都合を有しておらず、家具駆動装置によって加えられ得る調節力の、調節運動中に生じる減少が実質的に回避され、しかも簡単にひいては廉価に製造可能となるような家具駆動装置を提供することである。
【０００８】
この課題は、請求項１の特徴部に記載の特徴により解決される。
【０００９】
本発明の根底を成す認識は、調節運動の間、駆動手段が旋回エレメントに作用する際の作用点が駆動手段の線状の運動軸線に沿って変位することにより、旋回エレメントのてこ腕の有効長さが変化するという事実である。これに相応して、本発明の根底を成す思想は、前記駆動手段を調節運動の間、線状の運動軸線に沿って実質的に位置固定の点において前記旋回エレメントと係合した状態に保持するための手段を設けることである。こうして、てこ腕の有効長さが調節運動の間、実質的に変化しなくなるので、家具駆動装置によって家具の調節したい部分に加えられ得る調節力が全調節運動の間、ほぼ一定となることが達成されている。したがって、全調節運動の間、特に調節運動の終端位置においても、家具の調節したい部分にはほぼ均一な大きさの力を加えることができる。
【００１０】
本発明による家具駆動装置は簡単に製造可能であり、ひいては廉価に製造可能であり、構造の点で頑丈である。本発明による家具駆動装置は家具の任意の部分を調節するために適しているが、しかし特に椅子やベッドのような座家具および／または寝家具のクッションのための支持装置、たとえばスラットベースの調節可能な部分を調節するために適している。
【００１１】
前記駆動手段を調節運動の間、線状の運動軸線に沿ってほぼ位置固定の点において前記旋回エレメントと係合した状態に保持するためには、旋回エレメントまたは該旋回エレメントに結合された構成部分が旋回方向に所定の延在長さを有しており、この延在長さは、前記駆動手段が調節運動の間、実質的に位置固定の点によって常時、旋回エレメントと係合するように設定されている。このためには、旋回エレメントが、たとえば複数の、旋回方向に連続したてこ腕を有していてよい。これらのてこ腕は順次に前記駆動手段と係合し、この場合、前記駆動手段は調節運動の間、線状の運動軸線に沿って実質的に位置固定の点において旋回エレメントと係合した状態に保持される。本発明の基本思想を体現するための特に単純で、ひいては特に廉価となる構成では、前記駆動手段を調節運動の間、線状の運動軸線に沿って実質的に位置固定の点において前記旋回エレメントと係合した状態に保持するための手段が、前記駆動手段のための、一種のカムディスクの形に形成されたガイドエレメントを有しており、該ガイドエレメントに前記駆動手段が当該家具駆動装置の組付け位置で係合している。このようなカムディスクは特に簡単に、ひいては廉価に製造可能となるので、本発明による家具駆動装置は全体的に特に簡単に、ひいては廉価に製造可能となる。
【００１２】
上記構成の改良形では、前記ガイドエレメントが、ほぼ円弧状に制限された輪郭を有している。このような改良形では、ガイドエレメントが特に簡単に、ひいては特に廉価に製造可能となる。
【００１３】
上記構成では、ガイドエレメントが旋回軸線に関して３６０゜またはほぼ３６０゜の角度にわたって延びていてよい。その場合、ガイドエレメントはほぼ完全な円の輪郭を有している。上記構成の改良形では、前記ガイドエレメントが、ほぼ円セグメント、特に１／４円セグメントとして形成されている。旋回方向におけるガイドエレメントのこのような延在長さは一般に、前記駆動手段が調節運動の間、線状の運動軸線に沿って実質的に位置固定の点において前記旋回エレメントに係合することを保証するために十分となる。
【００１４】
一種のカムディスクの形に形成されたガイドエレメントを用いた前記構成の別の改良形では、前記ガイドエレメントがほぼカム形の輪郭を有しており、該輪郭を制限する制限面と前記旋回軸線との間隔が、前記ガイドエレメントの周方向で少なくとも所定の区分にわたって変化している。このような改良形では、ガイドエレメントと駆動手段とが１つのカム伝動装置を形成する。ガイドエレメントのカム形状に相応して、線状の運動軸線に沿った駆動手段の速度が一定である場合には、旋回エレメントが旋回させられる際の角速度が変化する。
【００１５】
その都度の要求に応じて、本発明の別の改良形では、前記駆動手段が引張手段として形成されているか、または押圧手段として形成されている。
【００１６】
本発明のさらに別の改良形では、前記駆動手段がフレキシブルに形成されているか、またはほぼ剛性的に形成されていてよい。
【００１７】
本発明のさらに別の特に有利な改良形では、前記駆動手段の、当該家具駆動装置の組付け位置で前記ガイドエレメントと係合している面が、歯列を有しており、該歯列が、前記ガイドエレメントに設けられた、前記歯列に対してほぼ相補的な歯列と協働するようになっている。このような改良形では、ガイドエレメントと駆動手段とが互いに協働して、一種の歯伝動装置を形成する。このような改良形は特に簡単に、ひいては特に廉価に製造可能となる。さらに、このような改良形は特に頑丈であって、かつ大きな力を付与するために適している。
【００１８】
上記構成では、ガイドエレメントが歯車または歯車セグメントとして形成されていると有利である。歯車は単純な、ひいては廉価な規格構成部品として提供されているので、本発明による家具駆動装置の構造は一層単純化されている。
【００１９】
上記構成のさらに別の改良形では、前記駆動手段がチェーンを有していて、チェーン伝動装置が形成されている。このような改良形も、特に簡単に、ひいては特に廉価に製造可能であって、大きな力を付与するために適している。
【００２０】
歯車または歯車セグメントとして形成されたガイドエレメントを用いた本発明の構成のさらに別の改良形では、前記駆動手段が歯付棒もしくはラックを有していて、ラック伝動装置が形成されている。このような改良形もやはり特に簡単に、ひいては特に廉価に製造可能であって、かつ特に頑丈である。
【００２１】
さらに別の改良形では、前記駆動手段がロープまたはベルトを有しており、該ロープまたはベルトが、一種のロープドラムまたはロープ車として形成されたガイドエレメントと協働するようになっていて、ロープ伝動装置が形成されている。このような改良形では、本発明による家具駆動装置の構造が一層単純化されている。
【００２２】
基本的に前記ガイドエレメントは、旋回エレメントに相対回動不能に結合された別個の構成部分により形成されていてよい。しかし本発明のさらに別の改良形では、前記ガイドエレメントが前記旋回エレメントと一体に形成されているか、または前記ガイドエレメントが前記旋回エレメントにより形成されている。これにより本発明による家具駆動装置の構造は一層単純化されている。
【００２３】
線状に運動可能な駆動手段は任意の適当な形式に形成されていてよい。しかし本発明のさらに別の有利な改良形では、線状に運動可能な前記駆動手段が、スピンドル伝動装置の線状に運動可能な駆動エレメントに結合されているか、または線状に運動可能な前記駆動手段が、スピンドル伝動装置の線状に運動可能な駆動エレメントにより形成されている。このようなスピンドル伝動装置は単純でかつ廉価な規格構成部品として提供されていて、大きな力を伝達するために適しており、かつ頑丈である。
【００２４】
上記改良形では、スピンドル伝動装置の線状に運動可能な駆動エレメントが、回動不能でかつ軸方向に可動に、回転駆動可能なスピンドルに装着配置されたスピンドルナットであってよい。
【００２５】
しかし、上記構成を運動学的に逆転させた形として、スピンドル伝動装置の線状に運動可能な駆動エレメントが、軸方向に可動でかつ回動不能に支承されたスピンドルであってもよく、その場合には、このスピンドルに、位置固定の回転駆動可能なスピンドルナットが装着配置されている。
【００２６】
本発明のさらに別の有利な改良形では、前記駆動手段が前記旋回エレメントまたは前記ガイドエレメントに固定されている。
【００２７】
請求項２０には、座家具および／または寝家具のクッション、特にベッドのマットレスのための本発明による電動モータ式に調節可能な支持装置が記載されている。本発明による支持装置の改良形は、請求項２１〜請求項３８に記載されている。
【００２８】
請求項３９には、家具の調節可能な部分に用いられる本発明による調節機構が記載されている。調節機構の有利な改良形は請求項４０〜請求項４６に記載されている。
【００２９】
以下に、本発明の実施例を添付図面につき詳しく説明する。
【００３０】
図１は、本発明の第１実施例による家具駆動装置を備えた、スラットベースとして形成された本発明による支持装置を上から見た図であり、
図２は、図１に示したＩＩ―ＩＩ線に沿った断面図であり、
図３は、図２における家具駆動装置の範囲を、図２に比べて拡大して示す詳細図であり、
図４は、本発明の第２実施例による家具駆動装置の、図３と同様の詳細図であり、
図５は、図４に示した家具駆動装置のロープ車を左側から見た、図４に比べて拡大された図であり、
図６は、本発明の第３実施例による家具駆動装置の、図３と同様の詳細図である。
【００３１】
図面中、同一の構成部分もしくは互いに対応する構成部分には同じ符号が付与されている。
【００３２】
図１には、本発明による支持装置２の実施例が示されている。支持装置２は本実施例ではベッド用のすのこ状のスラット構造を有するスラットベースとして形成されている。このスラットベースはフレーム４を有しており、このフレーム４には位置固定の真ん中の支持部分６が結合されている。この真ん中の支持部分６には、水平方向の旋回軸線を中心にして旋回可能に、脚をサポートするための支持部分８が枢着結合されている。この脚のための支持部分８の、真ん中の支持部分６とは反対の側の端部には、水平方向の旋回軸線を中心にして旋回可能に、ふくらはぎをサポートするための支持部分１０が枢着結合されている。真ん中の支持部分６の、脚のための支持部分８とは反対の側の端部には、水平方向の旋回軸線を中心にして旋回可能に、上半身をサポートするための支持部分１２が枢着結合されている。この上半身のための支持部分１２の、真ん中の支持部分６とは反対の側の端部には、水平方向の旋回軸線を中心にして旋回可能に、頭部をサポートするための支持部分１４が枢着結合されている。これらの支持部分６，８，１０，１２，１４を互いに結合するための結合形式は一般に知られているので、これに関する詳しい説明は省略する。
【００３３】
前記支持部分６，８，１０，１２，１４の上側は、ばね弾性的な複数のスラットを備えている。これらのスラットのうち図面では１つのスラットにのみ、符号１６が付与されている。スラット１６は、椅子やベッドのような座家具および／または寝家具の、支持装置２によって支持されたクッション（図示しない）、たとえばベッドのマットレスをばね弾性的に支持するために働く。
【００３４】
本発明による支持装置２は本発明の第１実施例による家具駆動装置１８を備えている。この家具駆動装置１８は本実施例では上半身のための支持部分１２および頭部のための支持部分１４を真ん中の支持部分６に対して相対的に調節するために働く。家具駆動装置１８は本実施例では、真ん中の支持部分６に設けられた中空のサイドビーム１９内に収容されている。
【００３５】
図２には、図１のＩＩ―ＩＩ線に沿った断面図が示されている。
【００３６】
図３には、本発明による家具駆動装置１８が、図２に比べて拡大されて図示されている。家具駆動装置１８は、サイドビーム１９の壁に固定された電動モータ２０を有しており、この電動モータ２０は伝動機構２２を介して、スピンドル伝動装置の位置固定の回転駆動可能なスピンドル２４と回転駆動結合されている。スピンドル２４には、回動不能でかつスピンドル２４の軸方向に二重矢印２８で示した方向で往復運動可能にスピンドルナット２６が装着配置されている。電動モータ２０の出力軸の回転方向に相応して、ひいてはスピンドル２４の回転方向に相応して、スピンドルナット２６は図３に示したリニアもしくは線状の運動軸線３０に沿って左側または右側へ向かって運動する。
【００３７】
支持装置２には本実施例では、本発明による調節機構（Verstellbeschlag）３２が取り付けられている。この調節機構３２は本実施例では、旋回軸線３４を中心にして旋回可能に支持装置２のフレーム４に支承された旋回軸３６を有している。この旋回軸３６には、相対回動不能に旋回レバー３８が結合されている。この旋回レバー３８は上半身サポート用の支持部分１２と頭部サポート用の支持部分１４とに結合されており、この場合、上半身サポート用の支持部分１２と頭部サポート用の支持部分１４とは、旋回軸線３４を中心とした旋回軸３６の旋回時に旋回させられる。本発明による調節機構３２は、旋回軸３６に相対回動不能に結合された旋回エレメントを有している。この旋回エレメントはこの実施例では歯車セグメント４０として形成されていて、チェーン４２の形のフレキシブルな引張手段と係合している。チェーン４２の一方の端部は歯車セグメント４０に固定されていて、他方の端部はスピンドルナット２６に固定されている。チェーン４２は本実施例では、家具駆動装置１８の、線状の運動軸線３０に沿って運動可能な駆動手段を形成している。
【００３８】
本発明によれば、駆動手段、つまり図１に示した実施例ではチェーン４２を、調節運動の間、線状の運動軸線３０に沿って実質的に位置不動もしくは位置固定の点Ｐにおいて、旋回エレメントを形成する歯車セグメント４０と係合した状態に保持するための手段が設けられている。この手段は図１に示した実施例では、歯車セグメント４０が、チェーン４２のための、一種のカムディスクの形に形成されたガイドエレメントとして形成されている。歯車セグメント４０は本実施例では、ほぼ円弧状に制限された輪郭を有していて、１／４円セグメントとして形成されていることにより形成されている。調節運動の間、歯車セグメント４０は旋回軸線３４を中心にして旋回し、この場合、歯車セグメント４０に巻き掛けられたチェーン４２の巻掛け角度が変化する。しかしこの場合、チェーン４２は線状の運動軸線３０に沿って実質的に位置固定の点Ｐにおいて常に歯車セグメント４０と係合した状態に保持されているので、図３に破線４４により表された、チェーン４２が旋回軸３６に作用する際のてこ腕の有効長さは、調節運動の間、実質的に不変のままとなる。
【００３９】
本発明による家具駆動装置１８の機能形式は以下の通りである：
上半身サポート用の支持部分１２と頭部サポート用の支持部分１４とは調節運動の出発位置（図示しない）において、真ん中の支持部分６と共に水平方向の同一の支持平面を形成する。上半身サポート用の支持部分１２と頭部サポート用の支持部分１４とを調節運動のこのような出発位置から図２に示した調節位置へ調節するためには、電動モータ２０が伝動機構２２を介してスピンドル２４を駆動し、この場合、スピンドル２４はスピンドルナット２６を図３で見て右側へ向かって運動させる。このときに、チェーン４２は歯車セグメント４０の歯列と係合しているので、図３に示したスピンドルナット２６の運動時に歯車セグメント４０は図３で見て右側へ向かって旋回軸線３４を中心にして時計回り方向に旋回させられる。このとき、旋回レバー３８と旋回軸３６との間の相対回動不能の結合に基づき、旋回レバー３８も図３で見て時計回り方向に旋回させられるので、上半身サポート用の支持部分１２および頭部サポート用の支持部分１４は図３で見て時計回り方向に旋回させられる。
【００４０】
調節運動の間、チェーン４２は常に点Ｐにおいて歯車セグメント４０と係合しているので、チェーン４２が旋回軸３６に作用する際のてこ腕４４の有効長さは調節運動の間、変化しない。調節運動の間、てこ腕４４の有効長さが変化しないので、電動モータ２０の駆動トルクが一定であれば、家具駆動装置１８によって加えられ得る、上半身サポート用の支持部分１２と頭部サポート用の支持部分１４とに作用する調節力は調節運動の間、実質的に変化しない。したがって、本発明による家具駆動装置１８によって全調節運動の間、上半身サポート用の支持部分１２と頭部サポート用の支持部分１４とには、ほぼ一定の力を加えることができる。
【００４１】
図４には、本発明による家具駆動装置１８の別の実施例が示されている。この実施例は、駆動手段がチェーンの代わりにフレキシブルなロープ４６を有している点で、図３に示した実施例とは異なっている。旋回レバー３８に相対回動不能に結合された旋回エレメントは、図３の実施例ではロープ４６のための一種のカムディスクとして形成されたガイドエレメントを形成しているが、図４の実施例では一種のロープドラムとして作用するロープ車４８として形成されている。ロープ４６の一方の端部はロープ車４８に固定されており、他方の端部はスピンドルナット２６に固定されている。本実施例では、ロープ４６が調節運動の間、線状の運動軸線３０に沿って実質的に位置固定の点Ｐにおいてロープ車４８と係合しているので、ロープ４６が旋回軸３６に作用する際のてこ腕４４の有効長さは調節運動の間、実質的に変化しない。
【００４２】
図４を左側から見た図である図５から判るように、ロープ車４８は、互いに結合された２つのプレート５０，５２により形成されている。両プレートの、旋回軸線３４とは反対の側の端部は、溝５４が形成されるように曲げられている。この溝５４内にはロープ４６が案内されている。溝５４内にロープ４６が収容されていることにより、ロープ４６が調節運動中にロープ車４８から滑脱することが阻止されている。
【００４３】
図６には、本発明による家具駆動装置１８の第３実施例が示されている。第３実施例は以下の点で、図３に示した実施例とは異なっている。すなわち、第３実施例では、駆動手段がチェーン４２の代わりにラック５６を有している。このラック５６はスピンドルナット２６の、歯車セグメント４０寄りの端部に一体成形されている。ラック５６とスピンドルナット２６とは、たとえばプラスチックから成る１つの成形部分により一体に形成されていてよい。ラック５６は歯列を有しており、この歯列は歯車セグメント４０に設けられた歯列に対してほぼ相補的に形成されている。この実施例では、ラック５６が調節運動の間、線状の運動軸線３０に沿って実質的に位置固定の点Ｐにおいて歯車セグメント４０と係合した状態に保持されているので、ラック５６が旋回軸３６に作用する際のてこ腕の有効長さは実質的に変化しない。
【００４４】
本発明による家具駆動装置１８は簡単でかつ廉価に製造可能であり、構造の点で頑丈である。
【図面の簡単な説明】
【００４５】
【図１】本発明の第１実施例による家具駆動装置を備えた、スラットベースとして形成された本発明による支持装置を上から見た図である。
【図２】図１に示したＩＩ―ＩＩ線に沿った断面図である。
【図３】図２における家具駆動装置の範囲を、図２に比べて拡大して示す詳細図である。
【図４】本発明の第２実施例による家具駆動装置の、図３と同様の詳細図である。
【図５】図４に示した家具駆動装置のロープ車を左側から見た、図４に比べて拡大された図である。
【図６】本発明の第３実施例による家具駆動装置の、図３と同様の詳細図である。
【図１】
2005532132.tif 000003
【図２】
2005532132.tif 000004
【図３】
2005532132.tif 000005
【図４】
2005532132.tif 000006
【図５】
2005532132.tif 000007
【図６】
2005532132.tif 000008
【国際調査報告】
2005532132.tif 000009
2005532132.tif 000010
2005532132.tif 000011
2005532132.tif 000012
2005532132.tif 000013
2005532132.tif 000014